【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
第１および第２糸のそれぞれが他の第１および第２糸に平行のまたは実質的に平行の第１方向に配置された、複数の第１糸および複数の第２糸と、
第３糸のそれぞれが他の第３糸に平行のまたは実質的に平行の第２方向に配置され、第２方向が第１方向に対して直角であり、第３糸および第１糸もしくは第２糸のいずれかが第１ポリマーでできている、複数の第３糸と
を含んでなる、耐貫通性物品で使用するための繊維網状構造層であって、
第１、第２および第３糸のそれぞれが少なくとも１５ｇ／デシテックスの靱性を有し、かつ、
（ｉ）第２糸が第１ポリマーとは異なる第２ポリマーでできているか、または（ｉｉ）第１糸が第２糸の平均線密度とは異なる平均線密度を有するか、または（ｉｉｉ）第１および第２糸が複数のフィラメントを含むマルチフィラメント糸を含んでなり、そして第１糸のフィラメントが第２糸中のフィラメントとは異なる平均線密度を有するか、または（ｉｖ）それらの組み合わせである繊維網状構造層。
【請求項２】
２つの異なるタイプの糸が布のたて糸およびよこ糸方向の両方に交互の順番に配置された布の複数の層を含んでなる、可撓性の防弾性物品。
【請求項３】
第１および第２糸のそれぞれが他の第１および第２糸に平行のまたは実質的に平行の第１方向に配置された、複数の第１糸および複数の第２糸を、
第３糸のそれぞれが他の第３糸に平行のまたは実質的に平行の第２方向に配置され、第２方向が第１方向に対して直角であり、第３糸および第１糸もしくは第２糸のいずれかが第１ポリマーでできている、複数の第３糸と
織る工程を含んでなる繊維網状構造の形成方法であって、
第１、第２および第３糸のそれぞれが少なくとも１５ｇ／デシテックスの靱性を有し、
（ｉ）第２糸が第１ポリマーとは異なる第２ポリマーでできているか、または（ｉｉ）第１糸が第２糸の平均線密度とは異なる平均線密度を有するか、または（ｉｉｉ）第１および第２糸が複数のフィラメントを含むマルチフィラメント糸を含んでなり、そして第１糸のフィラメントが第２糸中のフィラメントとは異なる平均線密度を有するか、または（ｉｖ）それらの組み合わせである方法。
【手続補正２】
【補正対象書類名】明細書
【補正対象項目名】００８０
【補正方法】変更
【補正の内容】
【００８０】
本明細書に開示されるすべての特許および刊行物は、全体が参照により援用される。
また、本発明は、下記のような態様で実施することもできる。
１．第１および第２糸のそれぞれが他の第１および第２糸に平行のまたは実質的に平行の第１方向に配置された、複数の第１糸および複数の第２糸と、
第３糸のそれぞれが他の第３糸に平行のまたは実質的に平行の第２方向に配置され、第２方向が第１方向に対して直角であり、第３糸および第１糸もしくは第２糸のいずれかが第１ポリマーでできている、複数の第３糸と
を含んでなる、耐貫通性物品で使用するための繊維網状構造層であって、
第１、第２および第３糸のそれぞれが少なくとも１５ｇ／デシテックスの靱性を有し、かつ、
（ｉ）第２糸が第１ポリマーとは異なる第２ポリマーでできているか、または（ｉｉ）第１糸が第２糸の平均線密度とは異なる平均線密度を有するか、または（ｉｉｉ）第１および第２糸が複数のフィラメントを含むマルチフィラメント糸を含んでなり、そして第１糸のフィラメントが第２糸中のフィラメントとは異なる平均線密度を有するか、または（ｉｖ）それらの組み合わせである繊維網状構造層。
２．第４糸のそれぞれが第３糸に平行のまたは実質的に平行の第２方向に配置された、複数の第４糸をさらに含んでなる繊維網状構造層であって、
（ｉ）第４糸が第２ポリマーもしくは第３ポリマーでできているか、または（ｉｉ）第３糸が第４糸の平均線密度とは異なる平均線密度を有するか、または（ｉｉｉ）第３および第４糸が複数のフィラメントを含むマルチフィラメント糸を含んでなり、そして第３糸のフィラメントが第４糸中のフィラメントとは異なる平均線密度を有するか、または（ｉｖ）それらの組み合わせである上記１に記載の繊維網状構造層。
３．第１糸が第１方向に糸の全数の少なくとも３５％を含んでなり、
そして
第２糸が第１方向に糸の全数の少なくとも３５％を含んでなる
上記１に記載の繊維網状構造層。
４．第３糸が第２方向に糸の全数の少なくとも２５％を含んでなり、
そして
第４糸が第２方向に糸の全数の少なくとも２５％を含んでなる
上記２に記載の繊維網状構造層。
５．１０ｋｇ／ｍ2以下の面密度を有する上記１に記載の繊維網状構造層。
６．第１、第２、第３および第４糸のそれぞれが少なくとも２％の破断点伸びとデシテックス当たり少なくとも１５０グラムの弾性率とを有する上記２に記載の繊維網状構造層。
７．第２糸が第１ポリマーとは異なる第２ポリマーでできている上記１に記載の繊維網状構造層。
８．第１糸が第２糸の平均線密度とは異なる平均線密度を有する上記１に記載の繊維網状構造層。
９．第１および第２糸が複数のフィラメントを含むマルチフィラメント糸を含んでなり、そして第１糸のフィラメントが第２糸中のフィラメントとは異なる平均線密度を有する上記１に記載の繊維網状構造層。
１０．第１および第３糸が第１ポリマーでできており、同じ平均線密度を有し、そして第１および第３糸のフィラメントが同じ平均線密度を有し、かつ、
第２および第４糸が第２ポリマーでできており、同じ平均線密度を有し、そして第２および第４糸のフィラメントが同じ平均線密度を有する
上記１に記載の繊維網状構造層。
１１．第１、第２、第３および第４糸のフィラメントが０．１〜１０デシテックスの線密度を有する上記２に記載の繊維網状構造層。
１２．第１および第２糸が交互の順番に配置される上記１に記載の繊維網状構造層。
１３．第３および第４糸が交互の順番に配置される上記２に記載の繊維網状構造層。
１４．第１および第２ポリマーが、ポリアミド、ポリオレフィン、ポリベンゾオキサゾール、ポリベンゾチアゾール、ポリ｛２，６−ジイミダゾ［４，５−ｂ４'，５'−ｅ］ピリジニレン−１，４（２，５−ジヒドロキシ）フェニレン｝、ポリアレーンアゾール、ポリピリダゾール、ポリピリドビスイミダゾールおよびそれらの混合物よりなる群から選択される上記１に記載の繊維網状構造層。
１５．上記１に記載の複数の繊維網状構造層を含んでなる可撓性の耐貫通性物品。
１６．２〜１２ｋｇ／ｍ2の面密度を有する上記１５に記載の可撓性の耐貫通性物品。
１７．２つの異なるタイプの糸が布のたて糸およびよこ糸方向の両方に交互の順番に配置された布の複数の層を含んでなる、可撓性の防弾性物品。
１８．前記布層の少なくとも１つの層が熱硬化性樹脂、熱可塑性樹脂、またはそれらの混合物を含んでなるポリマーマトリックスを含浸されている上記１７に記載の可撓性の防弾性物品。
１９．第１および第２糸のそれぞれが他の第１および第２糸に平行のまたは実質的に平行の第１方向に配置された、複数の第１糸および複数の第２糸を、
第３糸のそれぞれが他の第３糸に平行のまたは実質的に平行の第２方向に配置され、第２方向が第１方向に対して直角であり、第３糸および第１糸もしくは第２糸のいずれかが第１ポリマーでできている、複数の第３糸と
織る工程を含んでなる繊維網状構造の形成方法であって、
第１、第２および第３糸のそれぞれが少なくとも１５ｇ／デシテックスの靱性を有し、
（ｉ）第２糸が第１ポリマーとは異なる第２ポリマーでできているか、または（ｉｉ）第１糸が第２糸の平均線密度とは異なる平均線密度を有するか、または（ｉｉｉ）第１および第２糸が複数のフィラメントを含むマルチフィラメント糸を含んでなり、そして第１糸のフィラメントが第２糸中のフィラメントとは異なる平均線密度を有するか、または（ｉｖ）それらの組み合わせである方法。
２０．第４糸のそれぞれが第３糸に平行のまたは実質的に平行の第２方向に配置された、複数の第４糸を織る工程をさらに含んでなる方法であって、
（ｉ）第４糸が第２ポリマーもしくは第３ポリマーでできているか、または（ｉｉ）第３糸が第４糸の平均線密度とは異なる平均線密度を有するか、または（ｉｉｉ）第３および第４糸が複数のフィラメントを含むマルチフィラメント糸を含んでなり、そして第３糸のフィラメントが第４糸中のフィラメントとは異なる平均線密度を有するか、または（ｉｖ）それらの組み合わせである上記１９に記載の方法。